(57)【要約】      （修正有）【課題】災害の発生により被災者に飲食物の供給が必要な場合に、鍵を必要とすることなく外扉を開放して内部の商品を被災者に供給することのできる自動販売機を提供する。【解決手段】自動販売機本体または外扉の所定位置に外部から操作可能に設けられ、錠付きのハンドルに連結されたロック部材を回動させることなくスライド板３１と扉係止部材１１の係合を解除可能なレバー部材３３を備えたので、レバー部材３３の操作によりロック部材を回動させることなく外扉を開放することができ、例えば災害等によって早急に飲料及び食料の供給が必要な場合に、自動販売機本体内に収納された商品を速やかに被災者に供給することが可能となる。【選択図】図１３
2006302105.tif 000002
【特許請求の範囲】
【請求項１】
自動販売機本体に設けられた扉係止部材と、外扉に上下方向に移動可能に設けられ、扉係止部材と係合することにより外扉の開放方向への移動を規制するスライド部材と、外扉に設けられた錠に連結され、解錠することによりスライド部材と扉係止部材の係合を解除する操作が可能となるロック部材とを備えた自動販売機において、
前記自動販売機本体または外扉の所定位置に外部から操作可能に設けられ、ロック部材を操作することなくスライド部材と扉係止部材の係合を解除可能な外扉開放部材を備えた
ことを特徴とする自動販売機。
【請求項２】
前記外扉の前面における外扉開放部材との対応位置に、所定の力を加えることにより開口可能に形成され、外扉開放部材を操作可能な操作孔を設けた
ことを特徴とする請求項１記載の自動販売機。
【請求項３】
前記操作孔を、外扉の前面を覆う樹脂パネルに設けた
ことを特徴とする請求項２記載の自動販売機。
【請求項４】
前記操作孔として外扉の前面側に設けられた所定の機器が取付けられる開口部を用いた
ことを特徴とする請求項２記載の自動販売機。
【請求項５】
前記スライド部材に着脱自在に設けられ、ロック部材に当接することによってスライド部材の移動を規制する動作規制板を備えた
ことを特徴とする請求項１記載の自動販売機。
【請求項６】
前記動作規制板を、ロック部材との当接によるスライド部材の移動を許容するように弾性変形可能に形成した
ことを特徴とする請求項５記載の自動販売機。
【発明の詳細な説明】
【技術分野】
【０００１】
本発明は、自動販売機本体の前面開口部を開閉する回動自在な外扉を備えた自動販売機に関するものである。
【背景技術】
【０００２】
従来、この種の自動販売機としては、自動販売機本体に設けられた扉係止部材と、外扉に上下方向に移動可能に設けられ、扉係止部材と係合することにより外扉の開放する方向への移動を規制するスライド部材と、外扉に回動自在に連結され、スライド部材と扉係止部材の係合を解除する方向にスライド部材を移動可能なロック部材とを備えたものが知られている（例えば、特許文献１参照）。
【特許文献１】特開２０００−１４９１２０号公報
【発明の開示】
【発明が解決しようとする課題】
【０００３】
ところで、大規模な災害が発生して電気、ガス、水道などのライフラインが停止するような非常時には、飲料及び食料を被災者に早急に提供する必要がある。しかしながら、従来の自動販売機では、停電時に金銭を投入しても商品の購入は不可能であるとともに、扉を開放する場合には鍵が必要となるため、自動販売機内に収納された食料及び飲料を被災者に早急に供給することは困難である。
【０００４】
本発明の目的とするところは、災害の発生により被災者に飲食物の供給が必要な場合に、鍵を必要とすることなく外扉を開放して内部の商品を被災者に供給することのできる自動販売機を提供することにある。
【課題を解決するための手段】
【０００５】
本発明は前記目的を達成するために、自動販売機本体に設けられた扉係止部材と、外扉に上下方向に移動可能に設けられ、扉係止部材と係合することにより外扉の開放方向への移動を規制するスライド部材と、外扉に設けられた錠に連結され、解錠することによりスライド部材と扉係止部材の係合を解除する操作が可能となるロック部材とを備えた自動販売機において、前記自動販売機本体または外扉の所定位置に外部から操作可能に設けられ、ロック部材を操作することなくスライド部材と扉係止部材の係合を解除可能な外扉開放部材を備えている。
【０００６】
これにより、自動販売機本体または外扉の外部からスライド部材と扉係止部材の係合が解除されることから、ロック部材を操作することなく外扉の開放が可能となる。
【発明の効果】
【０００７】
本発明によれば、外扉開放部材の操作によりロック部材を操作することなく外扉の開放が可能となるので、例えば災害等によって早急に飲料及び食料の供給が必要な場合に、鍵を必要とすることなく自動販売機本体内に収納された商品を速やかに被災者に供給することが可能となる。
【発明を実施するための最良の形態】
【０００８】
図１乃至図１５は本発明の一実施形態を示すもので、図１は自動販売機の全体斜視図、図２は外扉の開閉動作を示す自動販売機の概略斜視図、図３はロック部材及びスライド板を示す自動販売機の要部正面図、図４はロック部材及びスライド板を示す自動販売機の要部側面断面図、図５はレバー部材及びスライド板を示す自動販売機の要部正面断面図、図６はレバー部材及びスライド板を示す自動販売機の要部側面断面図、図７はレバー部材の収納状態を示す自動販売機の要部斜視図、図８は操作孔形成用の溝を示す自動販売機の要部正面図、図９は操作孔形成用の溝を示す操作窓の要部側面断面図、図１０は通常の外扉の開放動作を示す自動販売機の要部正面図、図１１は操作孔の形成方法を示す操作窓の要部側面断面図、図１２はレバー部材の操作方法を示す自動販売機の要部斜視図、図１３はレバー部材による外扉の開放動作を示す自動販売機の要部正面断面図、図１４はスライド板及び動作規制板を示す自動販売機の要部分解斜視図、図１５は動作規制板が取付けられたスライド板を示す自動販売機の要部斜視図である。
【０００９】
図１に示す自動販売機は、前面に開口部を有する自動販売機本体１０と、幅方向一端側が自動販売機本体１０に回動自在に連結され、自動販売機本体１０の開口部を開閉する外扉２０とを備えており、病院や公共の施設等の屋内に設置されるものである。
【００１０】
自動販売機本体１０は、内部に収納された商品を搬出するための図示しない商品搬出装置と、商品を冷却するための図示しない冷却装置を備えている。また、自動販売機本体１０の前端の幅方向他端側には、外扉２０の開放方向への回動を規制するための上下方向一対の扉係止部材１１が設けられている。各扉係止部材１１は自動販売機本体１０の開口部から前方に突出するように設けられ、その上端側には外扉２０に設けられた後述するスライド板と係合可能な溝１１ａが形成されている。
【００１１】
外扉２０の前面には、自動販売機本体１０内に収納された商品を視認可能な樹脂製の透明板からなる樹脂パネルとしての視認窓２１、金額表示部２２、紙幣投入口２３、商品選択ボタン２４、硬貨投入口２５、返却レバー２６、商品取出口２７、硬貨返却口２８が設けられている。また、外扉２０の前面の幅方向他端側には外扉２０を開放するためのハンドル２９が設けられ、ハンドル２９には錠３０が設けられている。このハンドル２９は、錠３０を解錠することにより前方に突出し、回動させることにより外扉２０の開放方向への規制を解除するようになっている。
【００１２】
外扉２０の内部には、扉係止部材１１と係合することにより外扉２０の開放方向への移動を規制するためのスライド部材としてのスライド板３１と、スライド板３１と扉係止部材１１の係合を解除する方向にスライド板３１を移動させるためのロック部材３２と、ロック部材３２を回動させることなく扉係止部材１１との係合を解除する方向にスライド板３１を移動させるための外扉開放部材としてのレバー部材３３とが配置されている。
【００１３】
スライド板３１は、幅方向両端側をそれぞれ略直角に屈曲することにより形成された上下方向に延びる板状部材からなり、外扉２０の幅方向他端側に上下方向に移動自在に設けられている。スライド板３１には、扉係止部材１１と対応する位置に係止孔３１ａが形成され、各係止孔３１ａの上縁部が扉係止部材１１の溝１１ａと係合可能となっている。また、スライド板３１には、側面のハンドル２９と対応する位置に上下方向に延びる第１の規制解除孔３１ｂが形成され、第１の規制解除孔３１ｂの上部側にはロック部材３２が下方から当接可能な第１の当接片３１ｃが形成されている。更に、スライド板３１には、側面の上部に上下方向に延びる第２の規制解除孔３１ｄが形成され、第２の規制解除孔３１ｄの上部側にはレバー部材３３が下方から当接可能な第２の当接片３１ｅが形成されている。また、第１の規制解除孔３１ｂの下方には、上下一対のネジ孔３１ｆが設けられ、第１の規制解除孔３１ｂの下部を覆うことにより不正行為によるスライド板３１の移動を規制するための動作規制板３４を着脱自在に固定するようになっている。
【００１４】
ロック部材３２は、ハンドル２９の後端側からスライド板３１の第１の規制解除孔３１ｂの方向に延びるように形成され、ハンドル２９の後端側に連結されている。ロック部材３２のスライド板３１側の端部は、第１の当接片３１ｃの下方に位置し、ハンドル２９の回動によって第１の当接片３１ｃに下方から当接するようになっている。
【００１５】
レバー部材３３は、外扉２０内の視認窓２１側とスライド板３１との間に設けられた第１の側板３５に回動自在に連結され、その一端側に位置する操作部３３ａが視認窓２１側から操作可能となっており、他端側に位置する当接部３３ｂが第２の規制解除孔３１ｄの第２の当接片３１ｅに下方から当接可能となっている。また、第１の側板３５の視認窓２１側には第２の側板３６が設けられ、第２の側板３６にはレバー部材３３を収納するための長孔３６ａが形成されている。レバー部材３３は、両端部を上下に向くようにしてテープ３６ｂ等によって長孔３６ａ内に収納可能となっている。
【００１６】
また、レバー部材３３の前方に位置する視認窓２１には、レバー部材３３を操作するための操作孔２１ａを形成可能なように、円周状に溝２１ｂが設けられている。即ち、その円周の内側に位置する視認窓２１に所定の力を加えることにより、板厚の小さくなった溝２１ｂ部分が破損して円形状の操作孔２１ａが形成されるようになっている。
【００１７】
以上のように構成された自動販売機において、商品の補充やメンテナンス等の通常の使用によって外扉２０を開放する場合には、まず、ハンドル２９に設けられた錠３０を解錠してハンドル２９を回転操作する。これにより、図１０に示すように、ハンドル２９と共に回動するロック部材３２は、第１の当接片３１ｃと当接してスライド板３１を上方に移動させ、扉係止部材１１とスライド板３１との係合を解除する。次に、そのままハンドル２９を前方に引くことにより外扉２０の開放が可能となる。
【００１８】
また、大規模な災害が発生して自動販売機本体１０内の飲料及び食料を被災者に提供する必要が生じた場合には、まず、図１１に示すように、レバー部材３３の前方に位置する視認窓２１に外部から所定の力を加え、視認窓２１の溝２１ｂ部分を破損させ、操作孔２１ａを形成する。次に、図１２に示すように、操作孔２１ａから手を挿入して第２の側板３６の長孔３６ａ内に収納されたレバー部材３３の操作部３３ａを引出すとともに、下方に回動させる。これにより、レバー部材３３の当接部３３ｂは、図１３に示すように、第２の当接片３１ｅと当接してスライド板３１を上方に移動させ、扉係止部材１１とスライド板３１との係合を解除する。そして、そのままハンドル２９を前方に引くことにより外扉２０の開放が可能となる。
【００１９】
更に、前記のような災害対策用として使用しない場合には、視認窓２１を溝２１ｂが形成されていないものと交換し、図１４に示すように、スライド板３１の第１の規制解除孔３１ｂの下部に位置する各ネジ孔３１ｆにネジ３７を螺合することにより動作規制板３４を固定する。これにより、不正行為の目的で外扉２０の下方から工具等を挿入してスライド板３１を移動させようとしても、図１５に示すように、動作規制板３４の上端がロック部材３２に当接してスライド板３１の移動が規制されるため、扉係止部材１１とスライド板３１との係合を解除することはできない。
【００２０】
このように、本実施形態の自動販売機によれば、自動販売機本体１０または外扉２０の所定位置に外部から操作可能に設けられ、錠３０付きのハンドル２９に連結されたロック部材３２を回動させることなくスライド板３１と扉係止部材１１の係合を解除可能なレバー部材３３を備えたので、レバー部材３３の操作によりロック部材を３２を回動させることなく外扉２０を開放することができ、例えば災害等によって早急に飲料及び食料の供給が必要な場合に、自動販売機本体１０内に収納された商品を速やかに被災者に供給することが可能となる。
【００２１】
また、外扉２０の前面におけるレバー部材３３との対応位置に、所定の力を加えることにより開口可能に形成され、レバー部材３３を操作可能な操作孔２１ａを設けたので、レバー部材３３が外部に露出することはなく、不正行為や悪戯によってレバー部材３３が操作されることはない。
【００２２】
また、操作孔２１ａを、外扉２０の前面を覆う樹脂製の透明板からなる視認窓２１に設けたので、操作孔２１ａを自動販売本体１０及び外扉２０に別途設ける必要はなく、視認窓２１を溝２１ｂがないものに取り替えることにより通常の自動販売機としても利用することができ、汎用性の向上を図ることができる。
【００２３】
スライド板３１に着脱自在に設けられ、ロック部材３２に当接することによってスライド板３１の移動を規制可能な動作規制板３４を備えたので、災害対策用の自動販売機として使用しない場合に、動作規制板３４を取付けることによって外扉２０の下方から工具等を挿入してスライド板３１を上方に移動させて外扉２０を開放するといった不正行為を防止することができ、防盗性の向上を図ることができる。
【００２４】
尚、前記実施形態では、内部の商品を視認可能な視認窓２１に操作孔２１ａを形成可能にするとともに、視認窓２１内からレバー部材３３を操作可能にしたものを示したが、例えば自動販売機本体１０の背面や底面等に操作レバー３３を配置して、外部から操作レバー３３を操作するようにしてもよい。
【００２５】
また、前記実施形態では、内部の商品を視認可能な視認窓２１が設けられた自動販売機において、視認窓２１に操作孔２１ａを形成可能にするとともに、視認窓２１内からレバー部材３３を操作可能にしたものを示したが、外扉２０に商品サンプル展示用の商品サンプル展示室を設けた自動販売機においても、商品サンプル展示室の前面を覆う透明板に操作孔を形成可能にするとともに、商品サンプル展示室内からレバー部材３３を操作可能にすることにより本発明を適用することが可能である。
【００２６】
また、前記実施形態では、視認窓２１内からレバー部材３３を操作可能に構成するようにしたものを示したが、図１６に示すように、外扉２０にレバー部材３３を操作するための専用の操作孔３８を設け、操作孔３８の後方にレバー部材３３を配置するようにしてもよい。
【００２７】
また、レバー部材３３操作用の操作孔３８を別途設ける他に、金額表示部２２や紙幣投入口２３等の外扉に設けられる機器が取付けられる開口部を操作孔として用いるようにしてもよい。例えば金額表示部２２を取付けるための開口部２２ａを操作孔として用いる場合には、図１７に示すように、金額表示部２２を樹脂製の板状部材３９を介して開口部２２ａに取付けるとともに、レバー部材３３を金額表示部２２の後方に配置する。この場合、金額表示部２２に外側から所定の力を加えると、図１８に示すように、板状部材３９が破損して開口部２２ａが開放され、外側からのレバー部材３３の操作が可能となる。このため、操作孔を別途設ける必要はなく、金額表示部２２の取付け方法により通常の自動販売機と災害対策用の自動販売機とを切換可能となり、汎用性の向上を図ることができる。
【００２８】
また、前記実施形態では、ロック部材３２に下方から当接することによってスライド板３１の移動を規制するための動作規制板３４をスライド板３１に着脱自在に設けたものを示したが、図１９に示すように、弾性変形可能な部材から動作規制板４０を形成するとともに、その上端をハンドル２９側に屈曲するように形成するようにしてスライド板３１に固定するようにしてもよい。この場合、レバー部材３３を操作すると、スライド板３１は、図２０に示すように、動作規制板４０をハンドル２９側に弾性変形させて上方に移動し、扉係止部材１１との係合を解除する。しかし、不正行為の目的で外扉２０の下方から工具等を挿入し、スライド板３１を移動させようとした場合には、動作規制板４０を弾性変形させる程の力をスライド板３１に加えることはできず、扉係止部材１１とスライド板３１との係合を容易に解除することはできない。このため、災害対策用の自動販売機においても、防盗性の向上を図ることができる。
【図面の簡単な説明】
【００２９】
【図１】本発明の一実施形態を示す自動販売機の全体斜視図
【図２】外扉の開閉動作を示す自動販売機の概略斜視図
【図３】ロック部材及びスライド板を示す自動販売機の要部正面図
【図４】ロック部材及びスライド板を示す自動販売機の要部側面断面図
【図５】レバー部材及びスライド板を示す自動販売機の要部正面断面図
【図６】レバー部材及びスライド板を示す自動販売機の要部側面断面図
【図７】レバー部材の収納状態を示す自動販売機の要部斜視図
【図８】操作孔用の溝を示す自動販売機の要部正面図
【図９】操作孔用の溝を示す視認窓の側面断面図
【図１０】通常の外扉の開放動作を示す自動販売機の要部正面図
【図１１】操作孔の形成方法を示す視認窓の要部側面断面図
【図１２】レバー部材の操作方法を示す自動販売機の要部斜視図
【図１３】レバー部材による外扉の開放動作を示す自動販売機の要部正面断面図
【図１４】スライド板及び動作規制板を示す自動販売機の要部分解斜視図
【図１５】動作規制板が取付けられたスライド板を示す自動販売機の要部斜視図
【図１６】その他の例を示す自動販売機の正面図
【図１７】金額表示部の開口部を操作孔として用いた場合を示す自動販売機の要部平面断面図
【図１８】金額表示部の開口部を開放した状態を示す自動販売機の要部平面断面図
【図１９】弾性変形可能な動作規制板の取付け状態を示す自動販売機の要部正面図
【図２０】弾性変形可能な動作規制板の動作を示す自動販売機の要部正面図。
【符号の説明】
【００３０】
１０…自動販売機本体、１１…扉係止部材、２０…外扉、２１ａ…操作孔、２１ｂ…溝、２２…金額表示部、２２ａ…開口部、３０…錠、３１…スライド板、３２…ロック部材、３３…レバー部材、３４…動作規制板、３８…操作孔、３９…板状部材、４０…動作規制板。
【図１】
2006302105.tif 000003
【図２】
2006302105.tif 000004
【図３】
2006302105.tif 000005
【図４】
2006302105.tif 000006
【図５】
2006302105.tif 000007
【図６】
2006302105.tif 000008
【図７】
2006302105.tif 000009
【図８】
2006302105.tif 000010
【図９】
2006302105.tif 000011
【図１０】
2006302105.tif 000012
【図１１】
2006302105.tif 000013
【図１２】
2006302105.tif 000014
【図１３】
2006302105.tif 000015
【図１４】
2006302105.tif 000016
【図１５】
2006302105.tif 000017
【図１６】
2006302105.tif 000018
【図１７】
2006302105.tif 000019
【図１８】
2006302105.tif 000020
【図１９】
2006302105.tif 000021
【図２０】
2006302105.tif 000022